(57)【要約】携帯型電波時計は、風防と、前記風防の周縁の裏側に前記周縁にそって形成されたアンテナと、前記アンテナに隣接する給電電極と、受信回路と、前記給電電極と前記受信回路とを接続する接続回路の少なくとも一部を構成するアンテナ接続線であって、前記給電電極の裏面に直接接続され前記風防から遠ざかる方向に延びるアンテナ接続線と、前記アンテナの下に設けられ、平面視において前記アンテナの少なくとも一部を覆う誘電体と、を含む。
2018016574.tif 000002
【特許請求の範囲】
【請求項１】
風防と、
前記風防の一面に前記風防の周縁にそって配置されたアンテナと、
前記アンテナの厚さ方向と垂直な方向に隣接する給電電極と、
受信回路と、
前記給電電極と前記受信回路とを接続する接続回路の少なくとも一部を構成するアンテナ接続線であって、前記給電電極に電気的に接続され前記風防から遠ざかる方向に延びるアンテナ接続線と、
前記アンテナの近傍に設けられ、平面視において前記アンテナの少なくとも一部を覆う誘電体と、
を含む携帯型電波時計。
【請求項２】
請求項１に記載の携帯型電波時計において、
前記アンテナは前記給電電極と隣接する第１の部分と、前記給電電極と隣接しない第２の部分とを含み、前記第１の部分の幅は、前記第２の部分の幅より小さい、
携帯型電波時計。
【請求項３】
請求項１または２に記載の携帯型電波時計において、
前記アンテナは、前記給電電極のうち前記アンテナ接続線と接する領域の前記周縁の側およびその反対側には存在しない、
携帯型電波時計。
【請求項４】
請求項１から３のいずれかに記載の携帯型電波時計において、
前記アンテナは、前記給電電極より前記風防の周縁の側に配置される、
携帯型電波時計。
【請求項５】
請求項１から３のいずれかに記載の携帯型電波時計において、
前記給電電極は、前記アンテナより前記風防の周縁の側に配置される、
携帯型電波時計。
【請求項６】
請求項５に記載の携帯型電波時計において、
前記風防がはめ込まれるベゼルまたは胴をさらに含み、
前記ベゼルまたは胴は前記アンテナ接続線に対向する部分に切欠きを有する、
携帯型電波時計。
【請求項７】
請求項１から５のいずれかに記載の携帯型電波時計において、
前記風防がはめ込まれるベゼルをさらに含み、
前記誘電体は、前記ベゼルの一部であり、前記アンテナの直下に配置される、
携帯型電波時計。
【請求項８】
請求項１から５のいずれかに記載の携帯型電波時計において、
前記風防がはめ込まれるベゼルをさらに含み、
前記誘電体は前記ベゼルの一部であり、前記アンテナと前記誘電体との間に絶縁性の部材が配置される、
携帯型電波時計。
【請求項９】
請求項１から５のいずれかに記載の携帯型電波時計において、
前記風防がはめ込まれ、前記アンテナの下にある誘電体を含むベゼルと、
前記誘電体と前記アンテナとの間に配置され前記誘電体より誘電率の高い高誘電部材と、をさらに含む、
携帯型電波時計。
【請求項１０】
請求項１から５のいずれかに記載の携帯型電波時計において、
前記風防がはめ込まれ、金属部材と誘電体部材とを含むベゼルをさらに含む、
携帯型電波時計。
【請求項１１】
請求項１から１０のいずれかに記載の携帯型電波時計において、
前記アンテナと前記風防との間に設けられる目隠し部材をさらに含む、
携帯型電波時計。
【請求項１２】
請求項１から１１のいずれかに記載の携帯型電波時計において、
前記風防の周縁の表側は傾斜を有する、
携帯型電波時計。
【発明の詳細な説明】
【技術分野】
【０００１】
本発明は、衛星等から信号を受信する携帯型電波時計に関する。
【背景技術】
【０００２】
ＧＰＳ（Global Positioning System）等を構成する衛星からの送信信号に含まれる時刻情報を受信して時刻を修正する携帯型の電波時計が実用に供されている。電波の受信のためのアンテナの種類および配置は、時計の機能を損なわず、かつ必要な受信感度が得られるように決定されている。【０００３】
特許文献１の図８には、風防ガラスの外周縁の裏側に無給電素子４２３（アンテナ）を配置することが開示されている。無給電素子４２３は、誘電体上に形成された円弧状の給電素子４１０により非接触で給電される。無給電素子４２３と給電素子４１０との間には、誘電体であるダイヤルリング８３が配置されている。【０００４】
特許文献２には、環状の誘電体４０１上に設けられた無給電素子４０２と給電体４０３とからなるアンテナ体４０が開示されている。アンテナは風防ガラスには配置されておらず、アンテナ体４０と風防ガラスとの間には、ダイヤルリング８３が配置されている。
【先行技術文献】
【特許文献】
【０００５】
【特許文献１】特開２０１４−１６３６６６号公報
【特許文献２】特開２０１４−６２８４４号公報
【発明の概要】
【発明が解決しようとする課題】
【０００６】
本願発明者らは、ＵＨＦ帯向けの高感度アンテナを腕時計のような携帯時計に搭載することを検討している。この場合、アンテナのサイズを携帯時計に収めるために誘電体により波長を短縮する必要がある。ここで、特許文献１の図８に示されるように風防の無給電素子（アンテナ）と、その下の給電素子との間に一定の厚みがある誘電体を配置すると、誘電体により高周波の受信信号にロスが生じてしまう。また、誘電体がない場合もその距離により受信感度が低下してしまう。一方、特許文献２に示されるようにアンテナを風防ガラスから離れた位置に配置すると、携帯時計のケースや回路などの影響を受けやすくなってしまい、感度が低下するか厚みが増加することになる。【０００７】
本発明は上述の事情を考慮してなされたものであって、その目的は、高感度かつ薄型の携帯型の電波時計を提供することである。
【課題を解決するための手段】
【０００８】
（１）風防と、前記風防の一面に前記風防の周縁にそって配置されたアンテナと、前記アンテナの厚さ方向と垂直な方向に隣接する給電電極と、受信回路と、前記給電電極と前記受信回路とを接続する接続回路の少なくとも一部を構成するアンテナ接続線であって、前記給電電極に電気的に接続され前記風防から遠ざかる方向に延びるアンテナ接続線と、前記アンテナの近傍に設けられ、平面視において前記アンテナの少なくとも一部を覆う誘電体と、を含む携帯型電波時計。【０００９】
（２）（１）において、前記アンテナは前記給電電極と隣接する第１の部分と、前記給電電極と隣接しない第２の部分とを含み、前記第１の部分の幅は、前記第２の部分の幅より小さい、携帯型電波時計。【００１０】
（３）（１）または（２）において、前記アンテナは、前記給電電極のうち前記アンテナ接続線と接する領域の前記周縁の側およびその反対側には存在しない、携帯型電波時計。【００１１】
（４）（１）から（３）のいずれかにおいて、前記アンテナは、前記給電電極より前記風防の周縁の側に配置される、携帯型電波時計。【００１２】
（５）（１）から（３）のいずれかにおいて、前記給電電極は、前記アンテナより前記風防の周縁の側に配置される、携帯型電波時計。【００１３】
（６）（５）において、前記風防がはめ込まれるベゼルまたは胴をさらに含み、前記ベゼルまたは胴は前記アンテナ接続線に対向する部分に切欠きを有する、携帯型電波時計。【００１４】
（７）（１）から（５）のいずれかにおいて、前記風防がはめ込まれるベゼルをさらに含み、前記誘電体は、前記ベゼルの一部であり、前記アンテナの直下に配置される、携帯型電波時計。【００１５】
（８）（１）から（５）のいずれかにおいて、前記風防がはめ込まれるベゼルをさらに含み、前記誘電体は前記ベゼルの一部であり、前記アンテナと前記誘電体との間に絶縁性の部材が配置される、携帯型電波時計。【００１６】
（９）（１）から（５）のいずれかにおいて、前記風防がはめ込まれ、前記アンテナの下にある誘電体を含むベゼルと、前記誘電体と前記アンテナとの間に配置され前記誘電体より誘電率の高い高誘電部材と、をさらに含む、携帯型電波時計。【００１７】
（１０）（１）から（５）のいずれかにおいて、前記風防がはめ込まれ、金属部材と誘電体部材とを含むベゼルをさらに含む、携帯型電波時計。【００１８】
（１１）（１）から（１０）のいずれかにおいて、前記アンテナと前記風防との間に設けられる目隠し部材をさらに含む、携帯型電波時計。【００１９】
（１２）（１）から（１１）のいずれかにおいて、前記風防の周縁の表側は傾斜を有する、携帯型電波時計。
【発明の効果】
【００２０】
本発明によれば、携帯型電波時計は、電波を高感度に受信し、かつ薄型とすることができる。
【図面の簡単な説明】
【００２１】
【図１】第１の実施形態にかかる衛星電波腕時計の一例を示す平面図である。
【図２】図１に示される衛星電波腕時計のII−II切断線における断面図である。
【図３】衛星電波腕時計の回路構成の概略を示すブロック図である。
【図４】図１に示される衛星電波腕時計に含まれる回路基板および配線基板を示す平面図である。
【図５】図２に示される断面の部分拡大図である。
【図６】ベゼルおよび見返しリングの部分平面図である。
【図７】図１に示される衛星電波腕時計のVII−VII切断線における断面図である。
【図８】衛星電波腕時計の他の一例を示す部分断面図である。
【図９】衛星電波腕時計の他の一例を示す部分断面図である。
【図１０】衛星電波腕時計の他の一例を示す部分断面図である。
【図１１】衛星電波腕時計の他の一例を示す部分断面図である。
【図１２】衛星電波腕時計の他の一例を示す部分断面図である。
【図１３】衛星電波腕時計の他の一例を示す部分断面図である。
【図１４】衛星電波腕時計の他の一例を示す部分断面図である。
【図１５】衛星電波腕時計の他の一例を示す部分断面図である。
【図１６】衛星電波腕時計の他の一例を示す部分断面図である。
【図１７】衛星電波腕時計の他の一例を示す部分断面図である。
【図１８】アンテナおよび給電電極の配置の他の一例を示す平面図である。
【図１９】アンテナおよび給電電極の配置の他の一例を示す平面図である。
【図２０】アンテナおよび給電電極の配置の他の一例を示す平面図である。
【図２１】衛星電波腕時計の他の一例を示す部分断面図である。
【図２２】衛星電波腕時計の他の一例を示す部分断面図である。
【図２３】衛星電波腕時計の他の一例を示す部分断面図である。
【図２４】衛星電波腕時計の他の一例を示す部分断面図である。
【図２５】衛星電波腕時計の他の一例を示す部分断面図である。
【図２６】アンテナおよび給電電極の配置の一例を概略的に示す図である。
【図２７】衛星電波腕時計の他の一例を示す部分断面図である。
【図２８】衛星電波腕時計の他の一例を示す部分断面図である。
【図２９】ＦＰＣ基板の一例を示す平面図である。
【図３０】ＦＰＣ基板の他の一例を示す平面図である。
【図３１】衛星電波腕時計の他の一例を示す部分断面図である。
【図３２】衛星電波腕時計の他の一例を示す部分断面図である。
【図３３】衛星電波腕時計の他の一例を示す部分断面図である。
【図３４】衛星電波腕時計の他の一例を示す部分断面図である。
【図３５】ＦＰＣ基板の他の一例を示す平面図である。
【図３６】衛星電波腕時計の他の一例を示す部分断面図である。
【図３７】ＦＰＣ基板の他の一例を示す平面図である。
【図３８】第２の実施形態にかかる衛星電波腕時計の一例を示す部分断面図である。
【図３９】見返しリング、時字および給電電極の一例を示す平面図である。
【図４０】図３９のXL−XL切断線における断面図である。
【図４１】衛星電波腕時計の他の一例を示す部分断面図である。
【図４２】見返しリング、時字および給電電極の他の一例を示す平面図である。
【図４３】図４２のXLIII−XLIII切断線における断面図である。
【図４４】見返しリング、時字および給電電極の他の一例を示す平面図である。
【図４５】見返しリング、時字および給電電極の他の一例を示す平面図である。
【発明を実施するための形態】
【００２２】
以下、本発明の実施の形態について、図面を参照しながら詳細に説明する。
【００２３】
［第１の実施形態］
以下では本発明の第１の実施形態にかかる衛星電波腕時計１について説明する。本実施形態に係る衛星電波腕時計１は、時刻情報を含んだ衛星電波を受信し、当該受信された衛星電波に含まれる時刻情報を用いて自身が計時している時刻の修正や測位を行う。
【００２４】
図１は、第１の実施形態にかかる衛星電波腕時計１の外観の一例を示す平面図であり、図２は、図１に示される衛星電波腕時計１のII−II切断線における断面図である。これらの図に示されるように、衛星電波腕時計１は、風防ガラス３１と、風防ガラス３１を保持するベゼル３２と、円筒状の胴３８と、胴３８の下に設けられる裏蓋３９とを含む。これらは衛星電波腕時計１の外形を構成している。風防ガラス３１は、例えばサファイヤガラス等の透明材料を含む。胴３８およびベゼル３２は、風防ガラス３１および裏蓋３９に挟まれている。以下では、衛星電波腕時計１の中心から風防ガラス３１へ向かう向きを上、裏蓋３９へ向かう向きを下と表記する。また風防ガラス３１の中心から周縁への向きを外側または周縁側、周縁から中心への向きを内側と表記する。
【００２５】
胴３８は金属からなり、上から下へ貫通する穴を有する。ベゼル３２は胴３８の穴の上端の形状に応じたリング状のセラミックスであり、ベゼル３２はその穴の上端にはめ込まれることで胴３８に接続されている。また裏蓋３９は金属からなり胴３８の穴の下端の形状に応じた平面を有し、裏蓋３９はその穴の下端にはめ込まれている。風防ガラス３１は、ベゼル３２の開口の上端の形状に応じた平面形状を有し、ベゼル３２のその開口の上端にはめ込まれている。風防ガラス３１とベゼル３２とはパッキン３３を介して接しており、パッキン３３により風防ガラス３１が固定されている。またベゼル３２と胴３８とはパッキン３７を介して接しており、パッキン３７によりベゼル３２が固定されている。
【００２６】
また、衛星電波腕時計１は、アンテナ１０ａ，１０ｂ、給電電極１１、導電ピン４１、リング状の見返しリング３４、文字板５１、時針５２ａ、分針５２ｂ及び秒針５２ｃ、ソーラーセル５３、地板５４、配線基板４３、同軸ピン４５、回路基板４７、モーター４９を含む。これらは、風防ガラス３１、ベゼル３２、胴３８、裏蓋３９に囲まれた空間に配置されている。
【００２７】
アンテナ１０ａ，１０ｂは、風防ガラス３１の下側（裏側）の面に、風防ガラス３１の周縁に沿って延びるように配置されている。図１の例では、アンテナ１０ａ，１０ｂのそれぞれは円弧状であり、風防ガラス３１の裏側の面に貼り付けられている。アンテナ１０ａ，１０ｂは衛星から送信される衛星信号を受信する。本実施形態では、アンテナ１０ａ，１０ｂはいわゆるダイポールアンテナであり、ＧＰＳ（Ｇｌｏｂａｌ  Ｐｏｓｉｔｉｏｎｉｎｇ  Ｓｙｓｔｅｍ）衛星から送信される周波数約１．６ＧＨｚの電波を受信する。ＧＰＳは、衛星測位システムの一種であって、地球の周囲を周回する複数のＧＰＳ衛星によって実現されている。
【００２８】
給電電極１１は、アンテナ１０ａ，１０ｂの一部に隣接するように配置されている。図１および２の例では、給電電極１１は平面視でアンテナ１０ａ，１０ｂの径方向内側に配置されている。言い換えると、給電電極１１はアンテナ１０ａ，１０ｂの厚さ方向と垂直な方向に隣接している。また、アンテナ１０ａの一端とアンテナ１０ｂの一端とは隣接している。アンテナ１０ａのうちその一端に近い部分と給電電極１１とが隣接し、アンテナ１０ｂのうちその一端に近い部分と給電電極１１とが隣接している。なお、給電電極１１はアンテナ１０ａ，１０ｂより周縁の側に配置されてもよい。給電電極１１の一方の端部に、導電ピン４１と接触する接続領域１５を有する。アンテナ１０ａ，１０ｂと給電電極１１とは、何も介さずに直接的に隣接してもよいし、何らかの部材を介して隣接してもよい。
【００２９】
導電ピン４１はいわゆるプローブピンである。導電ピン４１の数は給電電極１１の数と同じであり、給電電極１１は対応する導電ピン４１により配線基板４３と電気的に接続されている。導電ピン４１の両端はスプリングにより伸縮し、導電ピン４１の上端は給電電極１１の一端に接触している。また導電ピン４１の下端は配線基板４３上に設けられた接続端子に接触している。導電ピン４１は、見返しリング３４および地板５４により、平面視における位置を固定されている。図２の例では、導電ピン４１は見返しリング３４を上下方向に貫通する穴の中に固定されている。給電電極１１からみて、導電ピン４１は、風防ガラス３１から遠ざかる方向に延びている。なお、受信回路２２と給電電極１１とが、配線基板４３を介さずに直接的に接続されてもよい。
【００３０】
図３は、衛星電波腕時計１の回路構成の概略を示すブロック図である。受信回路２２には、アンテナ１０ａ，１０ｂが受信した不平衡な信号が、給電電極１１を介して入力される。受信回路２２はアンテナ１０ａ，１０ｂが受信した信号を復号し、復号の結果得られる衛星信号の内容を示すビット列（受信データ）を出力する。より具体的には、受信回路２２は高周波回路（ＲＦ回路）及びデコード回路を含んでいる。高周波回路は、高周波数で動作し、アンテナ１０ａ，１０ｂが受信したアナログ信号に対して増幅、検波を行って、ベースバンド信号に変換する。デコード回路は、高周波回路が出力するベースバンド信号を復号してＧＰＳ衛星から受信したデータの内容を示すビット列を生成し、制御回路２６に対して出力する。
【００３１】
制御回路２６は、衛星電波腕時計１に含まれる各種回路や機構を制御する回路であり、例えば、マイクロコントローラと、モーター駆動回路と、ＲＴＣ（Ｒｅａｌ  Ｔｉｍｅ  Ｃｌｏｃｋ）とを含む。制御回路２６は、受信データやＲＴＣが出力するクロックに基づいて時刻を取得し、取得された時刻にあわせて駆動機構２８に含まれるモーター４９を駆動する。駆動機構２８は、ステップモーターであるモーター４９と、輪列と、を含んで構成される。モーター４９は回路基板４７の文字板５１側の面に設けられている。モーター４９の回転を輪列が伝達することによって、例えば時針５２ａ、分針５２ｂ、及び秒針５２ｃのうちいずれかを回転させる。これにより現在時刻が表示される。
【００３２】
次に、受信回路２２等の配置について説明する。図４は、図１に示される衛星電波腕時計１に含まれる回路基板４７および配線基板４３を示す平面図である。図４に示されるII−II切断線は、図２に示される断面に対応する。また、図５は、図２に示される断面の部分拡大図である。配線基板４３は回路基板４７の上に配置されている。回路基板４７上には受信回路２２が配置されている。図４の例では、平面視で、受信回路２２は配線基板４３の隣に配置されている。なお、配線基板４３は、平面視でモーター４９や電池と重なっていない。
【００３３】
配線基板４３と回路基板４７の間には樹脂製のスペーサ４６が配置されており、スペーサ４６により配線基板４３と回路基板４７との間隔が保たれている。配線基板４３と回路基板４７とは平行に配置されている。配線基板４３と回路基板４７との間にはスペーサ４６が存在するが、例えばＧＮＤ配線のような金属部材は配置されていない。なお、文字板５１の直下にはソーラーセル５３が配置され、ソーラーセル５３と配線基板４３または回路基板４７との間には地板５４等が配置されている。
【００３４】
配線基板４３には、導電ピン４１に接続する接続端子と、同軸ピン４５に接続する端子とそれらを電気的に接続する中間配線が配置されている。中間配線は、配線基板４３上を、導電ピン４１との接続端子から延びる配線である。中間配線は、接続端子から見て、胴３８から離れるように延びている。また、中間配線と受信回路２２とは、ＲＦ接続配線により接続されている。ＲＦ接続配線は、同軸ピン４５と、配線基板４３上にあり同軸ピン４５と中間配線とを接続する端子と、同軸ピン４５と受信回路２２とを接続する回路基板４７上の配線とを含む。同軸ピン４５は、配線基板４３上の配線と回路基板４７上の配線とを電気的に接続する。同軸ピン４５は、平面視で導電ピン４１よりも文字板５１の中央に近く、導電ピン４１に比べて胴３８から離れている。導電ピン４１、中間配線、ＲＦ接続配線は、給電電極１１と受信回路２２とを接続する接続回路である。また導電ピン４１は給電電極１１と受信回路２２とを接続する配線の一種である。
【００３５】
また、ベゼル３２は、内周面において導電ピン４１が通過する位置に切欠き４２が設けられている。図６は、ベゼル３２および見返しリング３４の部分平面図である。ベゼル３２には、平面視で風防ガラス３１の周縁より外側にある部分と、その外側の部分から内側に張り出している張出部３５（図７参照）とを含む。導電ピン４１の近傍では張出部３５に切欠き４２が設けられている。平面視で、その切欠き４２の位置にはベゼル３２の内周側にある見返しリング３４が存在し、見返しリング３４のうち切欠き４２に重なる領域には、導電ピン４１を固定するための構造として穴が設けられている。そして、導電ピン４１はその穴を通過するように配置される。
【００３６】
なお、必ずしもベゼル３２に切欠き４２が設けられていなくてもよい。切欠き４２がない場合は、導電ピン４１は平面視で、ベゼル３２の内周面より内側に配置される。またこの場合は、給電電極１１のうち導電ピン４１と接する領域およびその近傍の部分のみ内側に張り出していてもよい。すると、給電電極１１もベゼル３２による波長短縮効果を得ることができる。
【００３７】
次に、アンテナ１０ａ，１０ｂおよび給電電極１１と周辺の部材との関係についてより詳細に説明する。図７は、図１に示される衛星電波腕時計１のVII−VII切断線における断面図である。図７では、導電ピン４１は断面の向こう側にあり、図中では破線で示されている。
【００３８】
ベゼル３２は、誘電体であるセラミックスにより形成されており、張出部３５は、平面視で風防ガラス３１の周縁にあるアンテナ１０ａ，１０ｂと給電電極１１の少なくとも一部を覆っている。張出部３５は、そのアンテナ１０ａ，１０ｂおよび給電電極１１の少なくとも一部の直下に配置され、切りかかれたリングの形状を有する。本実施形態の例では、張出部３５は、アンテナ１０ａ，１０ｂ、給電電極１１のうち導電ピン４１と接続される部分を除く部分の直下に配置されている。また見返しリング３４は絶縁性の部材、例えば樹脂からなり、ベゼル３２の内周に隣接するように配置されている。また見返しリング３４は張出部３５の下にも隣接するように配置されている。
【００３９】
本実施形態では、風防ガラス３１の裏側にアンテナ１０ａ，１０ｂ、給電電極１１を配置し、またアンテナ１０ａ，１０ｂおよび給電電極１１の下に誘電体でありベゼル３２（特に張出部３５）を配置している。本実施形態では、アンテナ１０ａ，１０ｂおよび給電電極１１の下の誘電体（ここではベゼル３２）で波長短縮効果を得つつ、導電ピン４１と給電電極１１とを直接的に接続し、かつ給電電極１１をアンテナ１０ａ，１０ｂの近傍に隣接させることにより感度の低下も抑えている。これにより、これらの構成を含まないものに比べて、衛星電波腕時計１をより薄型かつ高感度にすることが可能になる。なお、給電電極１１の下に誘電体が存在しなくてもよい。この場合、給電電極１１は波長短縮効果の有無を考慮した形状とすればよい。
【００４０】
また、図７に示すように、風防ガラス３１の表側（上面）の周縁には傾斜のある傾斜領域が設けられており、アンテナ１０ａ，１０ｂおよび給電電極１１はその傾斜領域に覆われている。また、傾斜領域の内側には、法線が上向きとなる平面領域が設けられている。より具体的には、傾斜領域は、平面視で、風防ガラス３１上のいずれかの場所と風防ガラス３１の中心との距離を示す向きをｒ方向とすると、風防ガラス３１の表側の端からアンテナ１０ａ，１０ｂおよび給電電極１１のｒ方向外側の端より内側まで存在し、平面視で傾斜領域がアンテナ１０ａ，１０ｂおよび給電電極１１を覆っている。傾斜領域においては、その法線は上方向から外側に傾いており、傾斜領域の外側の端は、内側の端より下側にある。これにより、アンテナ１０ａ，１０ｂおよび給電電極１１を視認しづらくすることができ、装飾性を高めることが可能になる。本図の例では衛星電波腕時計１の中心を通る断面において、傾斜領域の傾斜角度は一定である。
【００４１】
ここで、２つの給電電極１１ａ，１１ｂを用いて信号が受信されてもよい。図２６は、アンテナ１０ｉおよび給電電極１１ａ，１１ｂの配置の一例を概略的に示す図である。図２６は、図１に示されるアンテナ１０ａ，１０ｂおよび給電電極１１と、図３に示される回路構成の一部とに対応する図である。図２６の例では、給電電極１１ａ，１１ｂの数は２であり、給電電極１１ａ，１１ｂはそれぞれアンテナ１０ｉに隣接している。給電電極１１ａ，１１ｂは、風防ガラス３１の裏面の上かつ平面視で同じ弧の上に隣り合うように配置される。給電電極１１ａ，１１ｂのそれぞれは、導電ピン４１に接触するための接続領域１５を有し、給電電極１１ａ，１１ｂの接続領域１５は互いに隣接しており、接続領域の幅は他の領域より大きい。アンテナ１０ｉのうち給電電極１１ａ，１１ｂに隣接する部分の幅は、隣接しない部分より狭くなっている。給電電極１１ａ，１１ｂのうち接続領域１５以外の部分を弧状領域と呼ぶと、アンテナ１０ｉのうち接続領域１５に隣接する部分の幅は、弧状領域に隣接する部分より狭い。なお、図２６の例では、アンテナ１０ｉは分割されていない。
【００４２】
図２６の例では給電電極１１ａ，１１ｂは平衡な特性を有する受信信号を出力する。バラン回路２１は、この平衡な受信信号を不平衡な特性を有する同軸ピン４５や受信回路２２に接続するために、給電電極１１ａ，１１ｂからの平衡な受信信号を不平衡な受信信号に変換する。バラン回路２１は、給電電極１１ａ，１１ｂのそれぞれと接続されており、受信回路２２へ不平衡な信号を出力する。なお、バラン回路２１は、図４の配線基板４３の下側の面に配置されてよい。
【００４３】
ここで、アンテナ１０ａ，１０ｂおよび給電電極１１と、誘電体との関係はこれまでに説明されたものと異なっていてもよい。
【００４４】
図８は、衛星電波腕時計１の他の一例を示す部分断面図であり、図７に対応する断面図である。以下では主に図７の例との違いについて説明する。図８の例では、張出部３５とアンテナ１０ａ，１０ｂおよび給電電極１１との間に見返しリング３４が配置されている。そのため、図８の例では、ベゼル３２の張出部３５は文字板５１の上面の上に出ないように配置されている。なお、見返しリング３４のうち張出部３５に対向する部分を薄くし、張出部３５をより上側に配置してもよい。見返しリング３４が誘電材料を含むようにすれば、この構成でも波長短縮効果を得つつ感度の低下を防ぐことができる。ここで、見返しリング３４の誘電率は、張出部３５に比べて高くてもよい。これにより、波長短縮効果をさらに得ることが可能になる。なお、見返しリング３４が樹脂などの単なる絶縁体であっても、波長短縮効果は低いものの、図７の例と同様に感度の低下を防ぐことができる。
【００４５】
図９は、衛星電波腕時計１の他の一例を示す部分断面図であり、図８に対応する図である。図９の例では、見返しリング３４の上面にアンテナ１０ａ，１０ｂおよび給電電極１１の形状に対応する凹部が形成されている。アンテナ１０ａ，１０ｂおよび給電電極１１は、凹部の中で、下側だけでなく、周縁側および内側でも見返しリング３４に隣接する。これにより、波長短縮効果をより大きくすることができる。
【００４６】
図１０は、衛星電波腕時計１の他の一例を示す部分断面図であり、図５に対応する図である。図１０の例では、給電電極１１は、アンテナ１０ａ，１０ｂより周縁側に配置されるが、給電電極１１はアンテナ１０ａ，１０ｂの並びに配置されてもよい。この場合、ベゼル３２のうち導電ピン４１に対向する部分に切欠き７４が設けられ、また胴３８のうち導電ピン４１に対向する部分に切欠き７１が設けられている。切欠き７４により、図５の例より周縁側に配置される導電ピン４１およびそれを固定する部材（見返しリング３４等）がベゼル３２に干渉することが防がれる。また、胴３８が金属の場合には、切り欠き７４によって胴３８と導電ピン４１との距離をおくことにより、金属の影響による感度の低下を抑えることができる。ここで、胴３８と導電ピン４１との距離は、導電ピン４１の半径長さ以上であればよい。これにより、受信感度の低下を抑制できる。図１０の例では、誘電体である見返しリング３４について、アンテナ１０ａ，１０ｂに対向する部分より、給電電極１１に対向する部分が風防ガラス３１から離れている。
【００４７】
ここで、図７等の例と異なり、アンテナ１０ａ，１０ｂを目立たなくするために、衛星電波腕時計１の中心を通る断面において、風防ガラス３１の上面の少なくとも周縁が曲線を有するようにしてもよい。
【００４８】
図１１は、衛星電波腕時計１の他の一例を示す部分断面図であり、図７に対応する図である。本図では、図７の例と異なり、風防ガラス３１の側壁と平面領域とが、傾斜の向き（法線）が連続的に変化する曲面により接続されている。この曲面は、平面視で図７の傾斜領域と同じ領域に配置されている。図１１の例においても、アンテナ１０ａ，１０ｂおよび給電電極１１を視認しづらくすることができる。
【００４９】
図１２は、衛星電波腕時計１の他の一例を示す部分断面図であり、図７に対応する図である。本図では、図７の例と異なり、風防ガラス３１の上側の面の全体が曲面により構成されており、風防ガラス３１の上側の面のうち周縁は、上側の面のうち中央に比べて下側になっている。図１３は、衛星電波腕時計１の他の一例を示す部分断面図であり、図１２に対応する図である。図１３の例においては、図１２の例と異なり、風防ガラス３１の下側の面の全体も曲面により構成されており、風防ガラス３１の下側の面のうち周縁は、下側の面のうち中央に比べて下側になっている。図１２や図１３の例においても、アンテナ１０ａ，１０ｂおよび給電電極１１を視認しづらくすることができる。
【００５０】
ここで、アンテナ１０ａ，１０ｂおよび給電電極１１を目立たなくするために、風防ガラス３１に印刷や表面加工により目隠し領域を設けてもよい。
【００５１】
図１４は、衛星電波腕時計１の他の一例を示す部分断面図であり、図７に対応する図である。図１４では、図７の例と異なり、風防ガラス３１の上面のうち法線が上向きとなる平面領域が、アンテナ１０ａ，１０ｂおよび給電電極１１を覆っている。代わりに、風防ガラス３１の上面の周縁には、印刷により形成された目隠し領域６１が設けられている。目隠し領域６１はアンテナ１０ａ，１０ｂおよび給電電極１１を覆っている。なお、目隠し領域６１を、風防ガラス３１の表面を加工して反射率を高めることにより設けてもよい。
【００５２】
図１５は、衛星電波腕時計１の他の一例を示す部分断面図であり、図１４に対応する図である。図１５の例では、図１４の例と異なり、目隠し領域６２が風防ガラス３１の下面に接するように配置され、アンテナ１０ａ，１０ｂおよび給電電極１１を覆っている。より具体的には、目隠し領域６２は風防ガラス３１の下面の周縁に印刷により形成され、目隠し領域６２の下面にアンテナ１０ａ，１０ｂおよび給電電極１１が貼り付けられている。図１５の例においても、風防ガラス３１の表面を、反射率を高めるように加工することで目隠し領域６２を設けてもよい。なお、目隠し領域６２と風防ガラス３１の間に、例えば都市表示、時差表示、メモリ、受信に関する表示といった情報表示のための印字や装飾印刷を施してもよい。また、目隠し領域６１，６２の色は、ベゼル３２、見返しリング３４、文字板５１、パッキン３３のうち少なくとも一部と同じ色にしてもよい。こうすると目隠し領域６１，６２を目立たなくすることができる。
【００５３】
図１６は、衛星電波腕時計１の他の一例を示す部分断面図であり、図７に対応する図である。図１６では、図７の例と異なり、風防ガラス３１の上面のうち法線が上向きとなる平面領域が、平面視でアンテナ１０ａ，１０ｂおよび給電電極１１と重なっている。代わりに、風防ガラス３１の上面と下面の間の周縁（側壁）には、平面視でアンテナ１０ａ，１０ｂおよび給電電極１１と重なる溝が設けられ、その溝に部材が挿入されている。この素材により目隠し領域６３が設けられている。目隠し領域６３はアンテナ１０ａ，１０ｂおよび給電電極１１を覆っている。
【００５４】
図１７は、衛星電波腕時計１の他の一例を示す部分断面図であり、図７に対応する図である。図１７の例では、風防ガラス３１は他の部分より色が濃く、反射率が大きいまたは透過率の低い有色部６６を含む。有色部６６は風防ガラス３１の周縁の部分であり、アンテナ１０ａ，１０ｂおよび給電電極１１を覆っている。
【００５５】
図１４から図１７の例において、アンテナ１０ａ，１０ｂおよび給電電極１１を目隠し領域によって外部から見えないように隠している。ソーラーセル５３の受光面積を確保するために、この目隠し領域は平面視でソーラーセル５３より外側に配置されることが望ましい。
【００５６】
ここで、図１の例ではアンテナ１０ａ，１０ｂの幅は一定であったが、場所により幅が異なっていてもよい。図１８は、アンテナ１０ａ，１０ｂおよび給電電極１１の配置の他の一例を示す平面図である。図１８の例は、図１１の例と異なりアンテナ１０ａ，１０ｂのうち給電電極１１に隣接する第１の部分の幅は、隣接しない第２の部分の幅より小さい。これにより、風防ガラス３１の表側からみて、アンテナ１０ａ，１０ｂおよび給電電極１１が存在する領域の幅が減る。配線抵抗などに起因するアンテナ１０ａ，１０ｂの感度への影響を抑えつつ、目隠し領域を小さくすることができる。
【００５７】
図１９は、アンテナ１０ａ，１０ｂおよび給電電極１１の配置の他の一例を示す平面図である。図１９の例では、アンテナ１０ａとアンテナ１０ｂとは隣接せず、給電電極１１は、アンテナ１０ａと隣接する第１領域と、アンテナ１０ｂと隣接する第２領域と、第１領域と第２領域と接続する第３領域とを有する。第３領域は、アンテナ１０ａ，１０ｂと周縁側および内側のどちら側でも隣接せず、アンテナ１０ａとアンテナ１０ｂとの間にある。接続領域１５は第３領域に設けられている。図１８の例に比べると、第３領域により接続領域１５のある部分の幅が広く、アンテナ１０ａ，１０ｂの幅を狭めても導電ピン４１との位置合わせが容易にできる。一方、図１９の構成を用いずに接続領域を広く取ろうとすると、風防ガラス３１の中心側に接続領域が飛び出す。すると、目隠し領域を幅広にする必要が生じ、衛星電波腕時計１の外観のデザインに違和感が生じやすい。言い換えれば、アンテナ１０ａ，１０ｂの間に給電電極１１を配置することで、目隠し領域の幅を狭くすることも可能にしている。
【００５８】
また、本発明は、ダイポールアンテナでないアンテナにも適用できる。図２０は、アンテナ１０ｃおよび給電電極１１の配置の他の一例を示す平面図である。図２０の例におけるアンテナ１０ｃは、ループアンテナの一種であり、図１８におけるアンテナ１０ａ，１０ｂが一体化し、端が延長されたような形状を有する。また、アンテナ１０ｃは環状のアンテナの一部が切り欠かれたＣ字の形状をしている。このようなアンテナ１０ｃであっても、給電電極１１を風防ガラス３１の裏に配置することにより、電波を受信する際の感度を向上させることができる。
【００５９】
これまでに説明した例ではベゼル３２の全体がセラミックスにより形成されていたが、ベゼル３２がセラミックスなどの誘電体により形成される部分と金属により形成される部分とを含み、それらの部分が接合されていてもよい。
【００６０】
図２１は、衛星電波腕時計１の他の一例を概略的に示す部分断面図であり、図７に対応する断面を示す図である。図２１の例では、図７で説明された例と異なり、ベゼル３２は、セラミックス等の誘電体からなる誘電体部３２０と、金属からなる金属部３２１とを含む。誘電体部３２０は、断面が長方形のリングのうち上側かつ内側の長方形の領域を切りかいた形状をしている。この切り欠かれた領域に風防ガラス３１が固定される。誘電体部３２０は、平面視で上面と下面とを有するリング状の第１の部分と、その第１の部分の外周縁から上方向に延びる第２の部分とを有する。第１の部分は、平面視でアンテナ１０ａ，１０ｂおよび給電電極１１と重なる。また第２の部分は、アンテナ１０ａ，１０ｂの側方に隣接している。上下方向でみると、アンテナ１０ａ，１０ｂおよび給電電極１１は、第２の部分の上端と下端の間に配置される。金属部３２１は、胴３８にはめ込まれ、誘電体部３２０の第１の部分を支える横部分と、誘電体部３２０の側壁（外側の側壁）を囲む縦部分とを含む。なお、見返しリング３４は、誘電体部３２０の第１の部分の内側の側壁に接するように設けられている。
【００６１】
ベゼル３２のうちアンテナ１０ａ，１０ｂに近い部分をセラミックスなどの誘電体により形成することにより、衛星電波腕時計１を高感度かつ薄型にしつつ、ベゼル３２のうち金属により形成される金属部３２１により衝撃に対する耐性を高めることができる。特に、高感度と耐衝撃性という２つの特性を共存させることが可能になる。
【００６２】
図２２は、衛星電波腕時計１の他の一例を概略的に示す部分断面図であり、図２１に対応する図である。図２２の例では、図２１の例と異なり、ベゼル３２に含まれる誘電体部３２２は第２の部分に相当する部分を含まず、誘電体部３２２はアンテナ１０ａ，１０ｂの側方に隣接していない。ベゼル３２に含まれる金属部３２３は、胴３８にはめ込まれ、誘電体部３２２の第１の部分を支える横部分と、誘電体部３２２の側壁と風防ガラス３１の側壁とに隣接しベゼル３２の外側の側壁を構成する縦部分とを含む。図２２の例においても、ベゼル３２の耐衝撃性を向上し、また金属の質感を感じさせることができる。
【００６３】
図２３は、衛星電波腕時計１の他の一例を概略的に示す部分断面図であり、図２１に対応する図である。図２３の例では、ベゼル３２に含まれる誘電体部３２４は、平面視で上面と下面とを有するリング状の第１の部分と、その第１の部分の外周縁から上方向に延びる第２の部分とを有する。図２３の例では、図２１の例と異なり、誘電体部３２４はベゼル３２の外周側の側壁も構成している。ベゼル３２に含まれる金属部３２５は、誘電体部３２４の下面に接合され、胴３８にはめ込まれており、誘電体部３２４の側壁を囲ってはいない。これにより、受信感度を向上させることができる。
【００６４】
図２４は、衛星電波腕時計１の他の一例を概略的に示す部分断面図であり、図２３に対応する図である。図２４の例では、図２３の例と同様に、ベゼル３２に含まれる誘電体部３２６は、ベゼル３２の外周側の側壁も構成している。一方、図２４の例では、図２３の例と異なり、誘電体部３２６は、平面視で上面と下面とを有するリング状の第１の部分と、その第１の部分の外周端から上方向に延びる第２の部分と、だけでなく、第１の部分の外周端から下方向に延びる第３の部分も含む。そして、第３の部分の側壁の下端は胴３８の外周の側壁の上端に接しており、金属部３２７はベゼル３２の側面には露出していない。なお、金属部３２７は第２の部分の下面と第３の部分の側面の下端および下面に接するように接続され、胴３８にはめ込まれている。図２４の例では、金属部３２７が露出しないため、金属部３２７と誘電体部３２６の接合箇所を目立たなくすることが可能になる。
【００６５】
図２５は、衛星電波腕時計１の他の一例を概略的に示す部分断面図であり、図２２に対応する図である。図２５の例では、ベゼル３２に含まれる誘電体部３２８は、図２２の見返しリング３４に相当する部分も含むように一体的に整形されている。金属部３２９は、胴３８にはめ込まれ、誘電体部３２８の第１の部分を支える横部分と、誘電体部３２８の側壁と風防ガラス３１の側壁とに隣接しベゼル３２の外側の側壁を構成する縦部分とを含む。
【００６６】
図２２や図２５の例においては、アンテナ１０ａ，１０ｂの側面に誘電体がない。この構成でより強い波長短縮を効かせるために、高誘電体からなるパッキンを配置することが望ましい。また、図２５以外の例においても、ベゼル３２と見返しリング３４とが一体になっていてもよい。
【００６７】
ここで、アンテナ１０ａ，１０ｂが風防ガラス３１の周縁の表側に配置されてもよい。図２７は、衛星電波腕時計１の他の一例を示す部分断面図である。図２７の例では、アンテナ１０ａ，１０ｂが風防ガラス３１の周縁の表側に配置され、風防ガラス３１の周縁の裏側に配置される給電電極１１と風防ガラス３１を介して隣接している。風防ガラス３１は、その側面と表面とを接続する傾斜面３１ａと、側面と裏面とを接続する傾斜面３１ｂとを有する。アンテナ１０ａ，１０ｂは、平面視で風防ガラス３１の周縁に沿って延びている。図２７の例では、アンテナ１０ａ，１０ｂは風防ガラス３１の表面の周縁に沿って延び、表面と傾斜面３１ａとの境界に隣接している。給電電極１１は風防ガラス３１の裏面の周縁に沿って延び、裏面と傾斜面３１ｂとの境界に隣接している。風防ガラス３１の周縁の表側には、ベゼル３２の張出部３２ｂが配置されている。ベゼル３２の張出部３２ｂは平面視でリング状であり、アンテナ１０ａ，１０ｂを覆っている。またベゼル３２はセラミックスなどの誘電体により構成されている。
【００６８】
図２７の例では、図５等の例と比べて、アンテナ１０ａ，１０ｂがムーブメント等の金属部材から遠ざかるため、感度を向上させることができる。また、ベゼル３２は誘電体で構成されており、アンテナ１０ａ，１０ｂが受信する電波の波長を短縮することが可能である。ベゼル３２の一部が、アンテナ１０ａ，１０ｂと平面視で重なることにより、アンテナ１０ａ，１０ｂを目視しにくくできるため、印刷等による目隠し層を設ける必要が無く、時計外装の美観に違和感を生じさせることがない。また、ベゼル３２のアンテナ１０ａ，１０ｂと平面視で重なる部分に、時計表示情報、例えば都市名や時間計測（例えばテレメータ、タキメータ、クロノメータ）のインデックスを印刷、刻印してもよい。これにより、インデックスが見易くなる。
【００６９】
図２７の例では、アンテナ１０ａ，１０ｂは表面の周縁に配置されているが、傾斜面３１ａに配置されていてもよい。また給電電極１１が傾斜面３１ｂに配置されていてもよい。また、ベゼル３２の代わりに、ベゼル３２と一体化した胴が設けられてもよい。また、セラミックスに比べて波長短縮効果は下がるが、ベゼル３２は誘電体であるプラスティック等の樹脂で構成してもよく、これにより、ベゼル製造を簡易にでき部品コストを低減可能である。
【００７０】
ここで、フレキシブルプリント回路基板（ＦＰＣ基板）を用いてアンテナや配線が設けられてもよい。図２８は、衛星電波腕時計１の他の一例を概略的に示す部分断面図である。図２９は、ＦＰＣ基板８１の一例を示す平面図である。図２８は図５や図２１に対応する断面の図であり、パッキン等の細かな部材が省略された概略的な図である。図２９は、ＦＰＣ基板８１が折り曲げられていない状態の平面図である。図２８および図２９の例では、これまでに説明された例と異なり、アンテナ１０ｄおよび給電電極１１ｄがＦＰＣ基板８１に形成されている。
【００７１】
より具体的には、ＦＰＣ基板８１は、曲げられていない状態で、円環状のメイン部と、その円環状の部分から外側に延びる接続部とを有する。接続部は、その外側の端で、円環状または円環の一部が切り欠かれた弧状の端子領域に接続されている。
【００７２】
図２９に示されるＦＰＣ基板８１のメイン部の裏側には粘着層８２が設けられており、メイン部は、粘着層８２により、風防ガラス３１の下側に接着されている。図２８の例では、粘着層８２と風防ガラス３１との間に目隠し領域６２が設けられている。図２９の図は、ＦＰＣ基板８１のメイン部を、下側からみた状態に対応する。接続部は、メイン部に接続する領域で折り曲げられ、ベゼル３２および胴３８の内周面に沿って下へ延びている。端子領域は回路基板４７上に固定されている。
【００７３】
ＦＰＣ基板８１のメイン部には、円環の一部を切り欠いた形状を有するアンテナ１０ｄと、アンテナ１０ｄの径方向外側に隣接する給電電極１１ｄとが配置されている。給電電極１１ｄはアンテナ１０ｄの厚さ方向と垂直な方向に隣接しているともいえる。給電電極１１ｄは弧状の電極である。図２９の例では、アンテナ１０ｄの両端に近い部分が給電電極１１ｄに隣接しており、弧のうち中間部は給電電極１１ｄに隣接していない。なお、以下ではアンテナ１０ｄのうち、切り欠かれた部分を空間部と記載する。アンテナ１０ｄは、環状であってもよい。
【００７４】
ＦＰＣ基板８１のメイン部には、接続配線４１ｆが設けられている。給電電極１１ｄの一端は、接続配線４１ｆと接続されている。接続配線４１ｆは、端子領域に向かって延びる直線状の部分を有し、直線状の部分は、端子領域にある、円環の一部が切り欠かれた弧状の端子部４１ｇと接続されている。端子部４１ｇは、回路基板４７上の配線と電気的に接続されている。
【００７５】
図５の例では、風防ガラス３１を組み付ける際に、給電電極１１と導電ピン４１との位置合わせを高精度に行うことが必要であるが、図２８および図２９の例では、アンテナ１０ｄ、給電電極１１ｄおよび接続配線４１ｆがＦＰＣ基板８１として一体的に形成され、また位置の少しのずれも許容される。また、接続配線４１ｆのケース内の引き回しも容易になる。これらから、風防ガラス３１の組み付けや、ケース内の部品の組み付けを容易に行うことができ、製造コストを削減することができる。また、給電電極１１ｄには、導電ピン４１と接続するための領域を設けなくてもよいため、給電電極１１ｄを細くすることができる。また給電電極１１ｄと接続配線４１ｆとの接続箇所の制約が少なくなるため、バラン回路などの設計の自由度も向上する。更に、ＦＰＣ基板８１の上にバラン回路やマッチング回路を実装することも可能になるため、別途回路実装するための基板を設ける必要がなくなり、省スペース化を図ることができる。
【００７６】
なお、アンテナ１０ｄは必ずしもＦＰＣ基板８１に設けられなくてもよい。例えば、風防ガラス３１の周縁の下側の面にアンテナ１０ｄが蒸着などで形成されてもよい。この場合、ＦＰＣ基板８１には給電電極１１ｄおよび接続配線４１ｆが形成され、給電電極１１ｄが、アンテナ１０ｄの厚さ方向と垂直な（異なる）方向でアンテナ１０ｄに隣接するように、ＦＰＣ基板８１が風防ガラス３１の下側に貼り付けられてもよい。また、ＦＰＣ基板８１を多層に構成し、１層目にアンテナ１０ｄを構成し、２層目に給電電極１１ｄがアンテナ１０ｄと平面的に重なるように積層してもよい。アンテナ１０ｄと給電電極１１ｄとの距離を一定にできアンテナ特性のバラツキを小さくできるだけでなく、ＦＰＣ基板８１の幅を狭くすることが可能となる。
【００７７】
図３０は、ＦＰＣ基板８１の他の一例を示す平面図である。本図では、粘着層８２の記載を省略している。図３０の例では、図２９の例と異なり、給電電極１１ｄはアンテナ１０ｄの径方向内側に隣接している。給電電極１１ｄは、アンテナ１０ｄの一端から他端に向かう第１の弧状部と、第１の弧状の１つの端から折り返され、アンテナ１０ｄに対向し、空間部に隣接する領域に達する第２の弧状部とを有する。給電電極１１ｄとアンテナ１０ｄとの間隔を一定にするために、第２の弧状部と、第１の弧状部のうち第２の弧状部に隣接する部分とは、第１の弧状部の他の部分より細くなっている。これにより、アンテナ１０ｄとアンテナ１０ｄに接続する回路との間のインピーダンスが整合されている。
【００７８】
給電電極１１ｄの端は、接続配線４１ｆに電気的に接続されている。接続配線４１ｆは、例えば、アンテナ１０ｄの径方向外側を少し伸びる弧状の部分と、その弧状の部分の先で屈曲し端子領域に向かって延び端子部４１ｇに接続される直線状の部分とを有する。もちろん、ＦＰＣ基板８１が折り曲げられていない状態で、端子部４１ｇがメイン部の径方向内側に存在してもよい。この場合、接続配線４１ｆは、アンテナ１０ｄの径方向内側に隣接した給電電極１１ｄの端部と電気的に接続され、径方向内側に向かって延び、端子部４１ｇに接続される。また、ＦＰＣ基板８１は、接続配線４１ｆが配置され、径方向内側に延びる直線状の部分を有してよい。これによりＦＰＣ基板８１および接続配線４１ｆを、単純な形状に形成することができる。
【００７９】
図３０の例では、図２９の例と比べて、アンテナ１０ｄの位置を径方向外側に近づけやすくなる。これにより、アンテナ１０ｄの長さを大きくすることができ、受信特性を向上させやすくなる。
【００８０】
図３１は、衛星電波腕時計１の他の一例を示す部分断面図であり、図２８に対応する図である。図３１の例では、ＦＰＣ基板８１の接続部は、風防ガラス３１の近傍からベゼル３２の内周面にそって下方向に延びる第１の部分と、屈曲した後に文字板５１にそって径方向内側へ向けて延びる第２の部分と、さらに下方向に延びる第３の部分とを有する。第３の部分は回路基板４７を貫通しており、端子領域は回路基板４７の下側で回路基板４７上の配線と接している。
【００８１】
図３１の例では、金属製の胴３８による接続配線４１ｆへの影響を軽減することができる。
【００８２】
図３２は、衛星電波腕時計１の他の一例を示す部分断面図である。図３２は、図３１の例と異なり、ＦＰＣ基板８１の端子領域は回路基板４７の上側に配置される配線基板４３に取り付けられている。ＦＰＣ基板８１の第３の部分は、配線基板４３の径方向外側を下方向に延び、配線回路４３の下側で端子領域に接続されている。ＦＰＣ基板８１の端子領域は、ネジ８３により配線基板４３に取り付けられている。配線基板４３には図示しないバラン回路２１が配置されており、接続配線４１ｆはバラン回路２１と電気的に接続されている。また、バラン回路２１は、図５の例と同様に、同軸ピン４５を介して回路基板４７上の配線と電気的に接続されている。図３２の例では、図５の例と同様に、胴３８の金属による影響を最低限にすることができる。
【００８３】
図３３は、衛星電波腕時計１の他の一例を示す部分断面図である。図３３の例では、図３２の例と異なり、風防ガラス３１は、上面と、上面に接続する側面である第１の外周面と第１の外周面に接続し、平面視で上面の外側にある円環状の階段上面と、階段上面に接続する側面である第２の外周面と、第２の外周面に接続する下面とを有する。ＦＰＣ基板８１のメイン部は、階段上面の上側に粘着層８２を介して接着されている。また、ベゼル３２は、階段上面に対向する受け部を有し、風防ガラス３１はベゼル３２に下側からはめ込まれている。
【００８４】
図３３の例では、ＦＰＣ基板８１の接続部は、ベゼル３２の内周面を下方向に延びる第１の部分と、見返しリング３４の下を径方向内側に延びる第４の部分と、文字板５１および配線基板４３と胴３８との間を下方向に延びる第３の部分とを有し、端子領域は配線基板４３の下側にある。端子領域はネジ８３により配線基板４３に取り付けられている。図３３の例では、ベゼル３２がアンテナ１０ｄの上側を覆うことで、アンテナ１０ｄの存在に起因するデザインの制約を軽減することができる。また、ベゼル３２の材質がセラミックである場合、高誘電体の波長短縮効果などにより、受信感度を向上させやすい。
【００８５】
図３４は、衛星電波腕時計１の他の一例を示す部分断面図である。図３５は、ＦＰＣ基板８１の他の一例を示す図である。図３５は、図３４のＦＰＣ基板８１を折り曲げない状態とした場合の平面図である。図３４および図３５の例では、図３３の例と異なり、アンテナ１０ｅは、風防ガラス３１の外周面（正確には第２の外周面）に沿って配置されている。
【００８６】
また、ＦＰＣ基板８１は、折り曲げられない状態で直線状のメイン部と、メイン部の延びる方向と垂直な方向に延びる接続部とを有する。ＦＰＣ基板８１のメイン部は、風防ガラス３１の第２の外周面を覆うように曲げられて粘着層８２を介して接着されている。また、ＦＰＣ基板８１が接着された風防ガラス３１は、ベゼル３２に下側からはめ込まれている。
【００８７】
ＦＰＣ基板８１のメイン部には、アンテナ１０ｅが風防ガラス３１の周縁に沿って延びており、アンテナ１０ｅの下側（厚さ方向に垂直な方向）には、一部がアンテナ１０ｅに隣接し風防ガラス３１の周縁に沿って延びる給電電極１１ｅが設けられている。接続配線４１ｆは給電電極１１ｅの一端に接続され、接続部内を端子領域に向かって延び、端子部４１ｇに接続されている。
【００８８】
ＦＰＣ基板８１の接続部は、ベゼル３２の内周面を下方向に延びる第１の部分と、見返しリング３４の下を径方向内側に延びる第４の部分と、文字板５１および配線基板４３と胴３８との間を下方向に延びる第３の部分とを有し、ＦＰＣ基板８１の端子領域は配線基板４３の下側にある。端子領域はネジ８３により配線基板４３に取り付けられている。
【００８９】
図３４、３５の例は、図３３の例と比べて、風防ガラス３１の階段上面とベゼル３２との間にパッキンを設けて機能させることが容易になり、防水性能を向上させることができる。図３４，３５の例でもアンテナ１０ｅが外部から視認されなくなり、デザインの自由度が向上する。
【００９０】
図３６は、衛星電波腕時計１の他の一例を示す部分断面図である。本図の例では、図３４の例と異なり、配線基板４３が、地板５４に固定されており、また、ネジ８３は、配線基板３４を貫通して地板５４に固定されている。図３６の例では、地板５４とネジ８３とによりＦＰＣ基板８１の端子領域や配線基板４３が固定され、それらの位置の精度を向上させることができる。
【００９１】
図３７は、ＦＰＣ基板８１の他の一例を示す平面図である。図３７の例では、ＦＰＣ基板８１のメイン部は第１の切欠きと第２の切欠きとを有する。第１の切欠きは、アンテナ１０ｅの端であって、曲げられていない状態で給電電極１１ｅに隣接しない端の下側（アンテナ１０ｅに対して給電電極１１ｅが隣接する方向）にある。第２の切欠きは、給電電極１１ｅの端であって、曲げられていない状態でアンテナ１０ｅに隣接しない端の上側（給電電極１１ｅに対してアンテナ１０ｅが隣接する方向）にある。さらに、風防ガラス３１の第２の外周面に接着された状態で、第１の切欠きの上側と、第２の切欠きの下側とが隣接している。これにより、給電電極１１ｅの両端がアンテナ１０ｅに等距離で隣接することができ、アンテナ１０ｅのインピーダンスや受信特性を確保することができる。
【００９２】
［第２の実施形態］
以下では、本発明の第２の実施形態にかかる衛星電波腕時計１について説明する。本実施形態にかかる衛星電波腕時計１は、アンテナ１０ｇに非接触で給電する電極として、見返しリング３４の上にある時字８６を用いている。以下では、主に第１の実施形態との相違点について説明する。
【００９３】
図３８は、第２の実施形態にかかる衛星電波腕時計の一例を示す部分断面図である。図３８の例では、風防ガラス３１の下側の周縁側にアンテナ１０ｇが設けられている。より具体的には、風防ガラス３１の下側の面の周縁には目隠し領域６２が設けられており、目隠し領域６２の下側の面にアンテナ１０ｇが設けられている。また、見返しリング３４の上面には導電性の時字８６が配置されている。時字８６はアンテナ１０ｇに対向するとともに、平面視でアンテナ１０ｇと重なっている。時字８６は、導電ピン４１を介してバラン回路２１や受信回路２２に接続されている。図３８の例では、アンテナ１０ｇに給電する電極が時字８６となり、利用者が電極として認識する可能性が低くなり、デザイン性を向上させやすくなる。
【００９４】
図３９は、見返しリング３４、時字８６ａ〜８６ｄおよび給電電極１１ｇの一例を示す平面図であり、図４０は、図３９のXL−XL切断線における断面図である。図３９は、説明の容易のため見返しリング３４を太くしているが、実際はより細い。図３９，４０の例では、見返しリング３４の上面に、弧状の給電電極１１ｇを設け、さらに給電電極１１ｇの上面に接するように導電性の時字８６ａ〜８６ｄが配置されている。ここで、図３９，４０の例では時字８６ａ〜８６ｄは、それぞれ９時から１２を示す位置に配置され、また見返しリング３４に接着されている。
【００９５】
時字８６ａ〜８６ｄのそれぞれは、給電電極１１ｇの径方向内側に突出部８８を有しており、突出部８８は、見返しリング３４に設けられた凹部にはめ込まれている。給電電極１１ｇと導電ピン４１とは、時字８６ａの下で接触し、導電ピン４１は風防ガラス３１から遠ざかる方向に延び、図示しない配線基板４３に接続されている。
【００９６】
時字８６ａ〜８６ｄは、金属製または金属蒸着されており、導電性を有する。時字８６ａ，８６ｄは時字８６ｂ，８６ｃより面積が大きい。給電電極１１ｇの端であって導電ピン４１に近い端は、平面視で面積の大きい時字８６ａと重なるように配置されている。図３９，４０の例では、時字８６ａ〜８６ｄの厚みを薄くかつ一定にすることで、給電電極１１ｇおよび時字８６ａ〜８６ｄと、アンテナ１０ｇとの距離の変化を抑制し、アンテナ特性の低下を防いでいる。
【００９７】
図３９，４０の例によれば、図３８の例に比べて時字８６ａ〜８６ｄの配置の制約が少なく、また導電ピン４１の位置合わせが容易になる。給電電極１１ｇについては、見返しリング３４と同系色の印刷を設けたり、モード、電池残量、発電量の印刷をして表示として活用するなどにより、利用者に違和感を感じさせないことが可能である。
【００９８】
図４１は、衛星電波腕時計１の他の一例を示す部分断面図である。図４１は、図４０に対応する図である。図４１の例では、図４０の例と異なり、時字８６ａが導電ピン４１と直接的に接触している。より具体的には、時字８６ａは、給電電極１１ｇより径方向内側にあり、下方向へ延びる突出部８７ａを有し、また見返しリング３４は、突出部８７ａがはめ込まれ上下方向に貫通する貫通孔を有する。貫通孔の内部には、導電ピン４１も配置され、貫通孔の内部で突出部８７ａと導電ピン４１とが直接接触している。図４１の例では、給電電極１１ｇは、時字８６ａを介して導電ピン４１と電気的に接続されている。
【００９９】
図４１の例では、導電ピン４１が時字８６ａと接触している。時字８６ａは給電電極１１ｇに比べて応力に強いため、導電ピン４１との接触に伴う給電電極１１ｇの変形を防ぎ、また耐衝撃性を向上させることができる。
【０１００】
図４２は、見返しリング３４、時字８６ａ〜８６ｄおよび給電電極１１ｇの他の一例を示す平面図であり、図４３は、図４２のXLIII−XLIII切断線における断面図である。図４２の例では、図３９の例と異なり、給電電極１１ｇが見返しリング３４の上面の裏側に配置されている。見返しリング３４の底面には、平面視で弧状のくぼみが設けられており、その弧状のくぼみの上端面３４ｐに接するように平面視で弧状の給電電極１１ｇが配置されている。また、くぼみの内部には、上下に貫通する貫通孔を有するスペーサ３４ｂが設けられており、給電電極１１ｇは上端面３４ｐとスペーサ３４ｂとにより挟まれている。スペーサ３４ｂの貫通孔の内部を導電ピン４１が通っており、導電ピン４１は給電電極１１ｇの下面に接触している。時字８６ａ〜８６ｄは、下方向に突出する突出部８７ａ〜８７ｄを有し、突出部８７ａ〜８７ｄは見返しリング３４の上面と上端面３４ｐとを貫通する貫通孔にはめ込まれている。また、突出部８７ａ〜８７ｄの先は給電電極１１ｇと導通するように接着されている。
【０１０１】
図４２，４３の例では、給電電極１１ｇが上側から視認されない。これにより、デザイン性が向上する。また、時字８６ａ〜８６ｄと、給電電極１１ｇとが突出部８７ａ〜８７ｄにより導通しているため、突出部８７ａ〜８７ｄの長さを調整することにより、時字８６ａ〜８６ｄとアンテナ１０ｇとの間隔を調整することができる。この間隔の調整により、アンテナ１０ｇと、それに電磁的に給電する電極との間の電磁結合性を調整し、所望のアンテナ特性を得やすくなる。また、見返しリング３４と風防ガラス３１との間隔は、衛星電波腕時計１に設けられる針の数等の要因により変動しやすい。このような場合であっても、突出部８７ａ〜８７ｄの長さを調整することで、アンテナ１０ｇと給電する電極との間隔に起因するアンテナ特性の変化を防ぐことができる。また、スペーサ３４ｂに高誘電体セラミックスを用いることで、波長短縮効果により給電電極１１ｇを短くして、小型化することができる。
【０１０２】
図４４は、見返しリング３４、時字８６ａ〜８６ｄおよび給電電極１１ｇの他の一例を示す平面図である。図４４の例では、図４２，４３の例と異なり、給電電極１１ｇは、その両端においてそれぞれ面積が大きい時字８６ａ，８６ｄと電気的に接続されているが、面積の小さい時字８６ｂ，８６ｃは給電電極１１ｇと電気的に接続されていない。
【０１０３】
図４４の例では、給電電極１１ｇのうち導電ピン４１から離れた端と時字８６ｄとを接続することで、時字８６ｄがいわゆるキャパシティハットの効果を生じ、給電電極１１ｇに関する共振波長を下げることができる。それにより、給電電極１１ｇの配線長を短くすることができる。給電電極１１ｇを見返しリング３４内に配置する場合、給電電極１１ｇがムーブメント内の輪列などの導電性部材に近づくため、給電電極１１ｇの配線長を短くすることでその影響を軽減できる。
【０１０４】
図４５は、見返しリング３４、時字８６ａ〜８６ｄおよび給電電極１１ｇの他の一例を示す平面図である。図４５の例は、図３９の例と異なり、給電電極１１ｇに電気的に接続される時字８６ａ，８６ｃ，８６ｄと接続されない時字８６ｂが存在する。ここで、給電電極１１ｇと接続しない時字８６ｂと給電電極１１ｇとの間には、絶縁性のシートが設けられることで電気的な接続を回避してよい。
【０１０５】
図４５の例によれば、見返しリング３４の上面と風防ガラス３１との間隔が変化しても、給電電極１１ｇに接続される時字８６の数や位置を調整することにより、アンテナのインピーダンスを調整することができる。より具体的には、給電電極１１ｇと時字８６とを電気的に接続すると、アンテナ１０ｇとの間に凹凸が生じる。この凹凸による電磁気的な効果により、インピーダンスを調整することができ、アンテナのインピーダンスを整合させることができる。なお、給電電極に接続されない時字８６は、そのアンテナ特性にあわせて適宜選択されてよい。
【０１０６】
図４５は、給電電極１１ｇが見返しリング３４の上面に配置されている例であるが、図４２にあるような、給電電極１１ｇが見返しリング３４の内部に配置されている例に適用されてもよい。図４２の例であっても給電電極１１ｇと電気的に接続される時字８６を選択することにより、図４５の例と同様の効果が得られる。なお、給電電極１１ｇと接続しない時字８６ｂ（他の時字であってもよい）は、その突出部８７ｂの長さを給電電極１１ｇと接触しないよう短くすればよい。
【０１０７】
第２の実施形態では、９時から１２時位置の時字を例に説明しているが、給電電極１１ｇの長さは、９時位置から１２時位置までより短くても長くても良く、また、接続する時字は９時から１２時位置に限定されるものではないし、接続する時字の数も限定されない。また、時字を給電電極の一部に用いてアンテナに給電する方法は、環状のアンテナに限られず、ダイポールアンテナ、パッチアンテナ、逆Ｆアンテナ、スロットアンテナにも適用させることができる。
【０１０８】
これまでに、衛星電波腕時計１に本発明を適用した場合について説明したが、例えば腕時計とは異なる携帯用の小型の時計にも適用できる。
【図１】
2018016574.tif 000003
【図２】
2018016574.tif 000004
【図３】
2018016574.tif 000005
【図４】
2018016574.tif 000006
【図５】
2018016574.tif 000007
【図６】
2018016574.tif 000008
【図７】
2018016574.tif 000009
【図８】
2018016574.tif 000010
【図９】
2018016574.tif 000011
【図１０】
2018016574.tif 000012
【図１１】
2018016574.tif 000013
【図１２】
2018016574.tif 000014
【図１３】
2018016574.tif 000015
【図１４】
2018016574.tif 000016
【図１５】
2018016574.tif 000017
【図１６】
2018016574.tif 000018
【図１７】
2018016574.tif 000019
【図１８】
2018016574.tif 000020
【図１９】
2018016574.tif 000021
【図２０】
2018016574.tif 000022
【図２１】
2018016574.tif 000023
【図２２】
2018016574.tif 000024
【図２３】
2018016574.tif 000025
【図２４】
2018016574.tif 000026
【図２５】
2018016574.tif 000027
【図２６】
2018016574.tif 000028
【図２７】
2018016574.tif 000029
【図２８】
2018016574.tif 000030
【図２９】
2018016574.tif 000031
【図３０】
2018016574.tif 000032
【図３１】
2018016574.tif 000033
【図３２】
2018016574.tif 000034
【図３３】
2018016574.tif 000035
【図３４】
2018016574.tif 000036
【図３５】
2018016574.tif 000037
【図３６】
2018016574.tif 000038
【図３７】
2018016574.tif 000039
【図３８】
2018016574.tif 000040
【図３９】
2018016574.tif 000041
【図４０】
2018016574.tif 000042
【図４１】
2018016574.tif 000043
【図４２】
2018016574.tif 000044
【図４３】
2018016574.tif 000045
【図４４】
2018016574.tif 000046
【図４５】
2018016574.tif 000047
【国際調査報告】
2018016574.tif 000048
2018016574.tif 000049
2018016574.tif 000050
2018016574.tif 000051